(57)【要約】【課題】非常に小さい標識であっても、効率良く確実に稚貝の貝殻へ装着することができる貝類標識の装着具を提供すること。【解決手段】貝殻Ｃの周縁部を表裏から挟着するヘアピン状の標識Ｂを貝類に装着するものであって、表側帯板１と裏側帯板２とを間隔をあけて対向するよう配置し、表側帯板１及び裏側帯板２の先端部間に標識収納空間３を形成し、標識収納空間３の奥端部に標識Ｂの湾曲した基部を挿入可能な空洞７を形成し、表側帯板１及び裏側帯板２の先端部の対向面を、空洞７から先端に向かって次第に接近するよう傾斜した標識押圧面８ａ，８ｂとしてある。【選択図】図３
2008263805.tif 000002
【特許請求の範囲】
【請求項１】
貝殻周縁部を表裏から挟着するヘアピン状の標識を貝類に装着する装着具であって、表側帯板と裏側帯板とを間隔をあけて対向するよう配置し、前記表側帯板及び裏側帯板の先端部間に標識収納空間を形成し、該標識収納空間の奥端部に前記標識の湾曲した基部を挿入可能な空洞を形成し、前記表側帯板及び裏側帯板の先端部の対向面を、前記空洞から先端に向かって次第に接近するよう傾斜した標識押圧面としてあることを特徴とした貝類用標識の装着具。
【請求項２】
前記表側帯板と裏側帯板とをネジで止め付け、該ネジを回転させることにより前記標識収納空間幅を調節可能とした請求項１に記載された貝類用標識の装着具。
【請求項３】
前記表側帯板の先端を裏側帯板の先端よりも長く延長してある請求項１又は２に記載された貝類用標識の装着具。
【請求項４】
前記表側帯板の標識押圧面の先端寄りに切欠き部を形成してある請求項１〜３のいずれかに記載された貝類用標識の装着具。
【請求項５】
前記裏側帯板の先端は角取りして滑らかに湾曲している請求項１〜４のいずれかに記載された貝類用標識の装着具。
【請求項６】
前記裏側帯板の先端に流体噴出口を設けてある請求項１〜５のいずれかに記載された貝類用標識の装着具。
【発明の詳細な説明】
【技術分野】
【０００１】
本発明は、貝類の産地等を特定するための標識を貝殻に装着するのに用いる貝類用標識の装着具に関する。
【背景技術】
【０００２】
アワビ等の有用水産貝類は、年々天然物が減少しているため、稚貝を養殖して自然海域に放流することが行われている。ところが、個体を識別する標識がないと、放流した貝類であるのかどうか区別ができない。
また、このような高価な貝類の密漁が盛んになり、市場において貝類の産地を特定できないことが大きな問題となっていた。
そこで、貝類の貝殻周縁部を表裏から挟み付けることにより、放流に際して装着しておき、出所等の情報を確認できるようにした貝類用標識が提案されている（特許文献１参照）。
しかし、この標識は稚貝に装着するものなので、幅３ｍｍ，長さ１０ｍｍ程度の非常に小さいサイズに形成されており、このため、取り扱いが面倒で、人手によって多量の貝へ装着するには手間がかかる。
【０００３】
また、従来、他分野では、物品をクリップで挟み止めるのに使用するクリップ挟み止め装置が種々知られている（特許文献２参照）。
しかし、これらの装置は、稚貝用標識のようなきわめて小さいものを取り付けることはできず、貝類を傷つけないように工夫されたものでもなかった。
【０００４】
【特許文献１】特開２００４−１４１０８４号公報
【特許文献２】特開平９−３１０７０７号公報
【発明の開示】
【発明が解決しようとする課題】
【０００５】
本発明が解決しようとする課題は、非常に小さい標識であっても、効率良く確実に稚貝の貝殻へ装着することができる貝類標識の装着具を提供することにある。
【課題を解決するための手段】
【０００６】
本発明は、貝殻周縁部を表裏から挟着するヘアピン状の標識を貝類に装着する装着具に関し、表側帯板と裏側帯板とを間隔をあけて対向するよう配置し、前記表側帯板及び裏側帯板の先端部間に標識収納空間を形成し、該標識収納空間の奥端部に前記標識の湾曲した基部を挿入可能な空洞を形成し、前記表側帯板及び裏側帯板の先端部の対向面を、前記空洞から先端に向かって次第に接近するよう傾斜した標識押圧面としてある。
【０００７】
前記表側帯板と裏側帯板とをネジで止め付け、該ネジを回転させることにより前記標識収納空間幅を調節可能とすることがある。
前記表側帯板の先端を裏側帯板の先端よりも長く延長するのが望ましい。
前記表側帯板の標識押圧面の先端寄りに切欠き部を形成しても良い。
前記裏側帯板の先端は角取りして滑らかに湾曲させると良い。
前記裏側帯板の先端に流体噴出口を設けることがある。
【発明の効果】
【０００８】
請求項１に係る発明によれば、標識を標識収納空間に差し込むだけで、標識押圧面で標識を押圧して貝殻を差し込みやすいように変形させることができると共に、貝殻を差し込んでから軽く押し下げて引き抜くことにより、標識が外れないよう押しつぶして貝殻に密着させることができるので、非常に小さい標識であっても、効率良く、且つ、確実に貝殻に取り付けることができる。
【０００９】
請求項２に係る発明によれば、貝殻の厚さに応じて標識収納空間の厚みを変え、標識収納空間に収納された標識の表裏片間に形成された隙間の幅を調節することができる。
請求項３に係る発明によれば、標識を標識収納空間に挿入しやすく、標識装着作業の効率がいっそう高まる。
請求項４に係る発明によれば、装着具を押し下げて引き抜く際に、標識の外側片の撓みを切欠き部が吸収するので、外側片の先端部と基部寄りが貝殻に圧接され、装着具と共に標識が外れるのを防ぐ。
請求項５に係る発明によれば、裏側帯片を貝殻と外套膜との間に差し込んだときに、外套膜を傷つけ難い。
請求項６に係る発明によれば、流体噴出口から水流又は気流を噴射して外套膜を捲り上げるので、外套膜の損傷を防ぐことができる。
【発明を実施するための最良の形態】
【００１０】
以下、本発明の実施例を図面に基づいて詳細に説明する。
本発明の装着具Ａは、貝類用標識Ｂを貝類へ装着するのに使用する治具であって、図１に示すように、表側帯板１と裏側帯板２とを間隔をあけて対向するよう配置して形成される。表側帯板１及び裏側帯板２は、それぞれポリアセタール（ＰＯＭ）等の合成樹脂或いはステンレス等の金属等のように弾性変形可能な素材より成る。また、図示しないが、装着具Ａの基端部には握り部が取り付けられている。
表側帯板１の先端は裏側帯板２の先端よりも長く延長しており、表側帯板１及び裏側帯板２の先端部間は標識収納空間３となっている。標識収納空間３の奥行き（表側帯板１の先端からの奥行き）は、標識Ｂの長さと同じかやや深く形成され、装着具Ａの幅は標識Ｂとほぼ同幅としてある。
【００１１】
標識収納空間３よりも後方において、表側帯板１と裏側帯板２とはネジ４で止めつけられている。
表側帯板１及び裏側帯板２の一方にはネジ孔５が形成されると共に、他方には挿通孔６が穿設され、挿通孔６の通したネジ４の先端部をネジ孔５に螺合してある。従って、ネジ４を回転させることにより、標識収納空間３の空間幅を調節することができる。
また、標識収納空間３の奥端部において、表側帯板１及び裏側帯板２の対向面はそれぞれ断面半円形に切り欠いてあり、これにより、標識収納空間３の奥端部に断面円形の空洞７が形成されている。
【００１２】
表側帯板１及び裏側帯板２の先端部の対向面は、空洞７から先端に向かって次第に接近するよう傾斜した標識押圧面８ａ，８ｂとなっている。
また、表側帯板１の標識押圧面８ａの先端寄りにおいて、裏側帯板２の先端と対向する位置には、断面角形の切欠き部９が形成されている。
なお、装着具Ａの各部の寸法は、標識Ｂの大きさによって異なり、例えば、アワビ稚貝に装着する標識Ｂを装着する場合、標識Ｂの長さが１０ｍｍ、幅が３ｍｍ程度なので、装着具Ａの幅を約３ｍｍ、標識収納空間３の奥行きを約１０ｍｍ、切欠き部９の奥行きを約４ｍｍ、表側帯板１及び裏側帯板２の厚みを約３ｍｍ、裏側帯板２の先端から表側帯板１の先端までの距離を約５ｍｍとしてある。
【００１３】
以下、この装着具Ａの使用方法を説明する。
まず、ネジ４を操作して、標識Ｂを装着しようとする貝類の貝殻Ｃの厚みに合わせて標識収納空間３の空間幅を調節する。
標識Ｂは、図２に示すように、１枚の金属帯板をヘアピン状に湾曲して形成され、外側片ａが内側片ｂよりも長くなっている。また、外側片ａの内面先端部には、基部方向へ向けて斜めに突出した抜け止め用の爪ｃが形成されている。
【００１４】
次いで、標識Ｂを、その湾曲した基部を先にして装着具Ａの標識収納空間３へ差し込む。この時、裏側帯板２は表側帯板１よりも短いので、標識Ｂを簡単に標識収納空間３へ挿入することができる。通常、多数の標識Ｂが１枚のランナーｄによって１列に繋げてあるので、１枚の標識Ｂを収納空間３に挿入してから装着具Ａを上下に数回動かし、この標識Ｂをランナーｄから折り取る。
また、標識Ｂの湾曲した基部が空洞７に達するまで押し込むと、テーパー状の標識押圧面８ａ，８ｂが標識Ｂの外側片ａと内側片ｂを押しつぶすので、標識Ｂが装着具Ａから脱出することはない。また、標識Ｂの基部を挿入する空洞７は円形状に拡がっているので、標識Ｂの変形が抑制されることはない。
【００１５】
次に、図３に示すように、貝殻Ｃの内側に、例えば水流或いは気流を吹き付けて、外套膜Ｄを押し退けながら、貝殻Ｃの周縁部を装着具Ａの標識収納空間３に押し込む。標識収納空間３には標識Ｂがその開口側を装着具Ａの先単に向けて収納されているので、貝殻Ｃの周縁部は標識Ｂの内部へ挿入される。
その後、装着具Ａを引き抜くのであるが、まっすぐに引くと標識Ｂまで貝殻Ｃから外れる心配があるので、図４に示すように、装着具Ａの基部を表側帯板１の方向へ押し下げながら引き抜くと、表側帯板１及び裏側帯板２は少し弾性変形し、標識Ｂを押しつぶすような力が働く。
【００１６】
この結果、標識Ｂが貝殻Ｃを挟着し、確実に装着具Ａのみを引き抜くことができる。また、表側帯板１の標識押圧面８ａには切欠き部９が形成されているので、標識Ｂを押しつぶす力が働いたときに、標識Ｂの外側片ａの撓みを吸収し、このため、外側片ａの先端部と基部寄りに押圧力が集中し、外側片ａが貝殻Ｃに圧接すると共に、爪ｄが貝殻Ｃに食い込む。
この爪ｃは貝殻Ｃの表面に引っかかって、標識Ｂが装着具Ａとともに脱落するのを防ぐだけでなく、標識Ｂが貝殻Ｃに取り込まれて一体化する前に脱落するのを防止する効果もある。
【００１７】
最後に、引き抜いた装着具Ａの裏側帯板２の先端面で標識Ｂの基部を突き、標識Ｂを押し込んで完全に貝殻Ｃへ装着する。
なお、裏側帯板２の先端を角取りして滑らかに湾曲させると、外套膜Ｄの損傷を防止できる。
また、装着具Ａとは別体の細いパイプから外套膜Ｄへ水流或いは気流を吹き付けることもできるが、裏側帯板２にパイプを通し、裏側帯板２の先端面に設けた流体噴出口から水流又は気流を吹き付けるようにしても良い。
【図面の簡単な説明】
【００１８】
【図１】本発明の実施例を示す貝類用標識の装着具の側面図。
【図２】標識装着工程の第１段階を示す側面図。
【図３】標識装着工程の第２段階を示す側面図。
【図４】標識装着工程の第３段階を示す側面図。
【図５】標識装着工程の第４段階を示す側面図。
【符号の説明】
【００１９】
Ａ  装着具
Ｂ  標識
ａ  外側片
ｂ  内側片
ｃ  爪
ｄ  ランナー
Ｃ  貝殻
Ｄ  外套膜
１  表側帯板
２  裏側帯板
３  標識収納空間
４  ネジ
５  ネジ孔
６  挿通孔
７  空洞
８ａ，８ｂ  標識押圧面
９  切欠き部
【図１】
2008263805.tif 000003
【図２】
2008263805.tif 000004
【図３】
2008263805.tif 000005
【図４】
2008263805.tif 000006
【図５】
2008263805.tif 000007